(57)【特許請求の範囲】
【請求項１】
第１のＩ成分信号と第１のＱ成分信号とを備える第１のＩＦ信号を供給するために第１の周波数帯内の第１の経路上の少なくとも第１のＲＦ信号をダウンコンバートすることと、ここにおいて、前記第１のＲＦ信号をダウンコンバートすることは、第１の対の局部発振信号を使用することを備える、
第２のＩ成分信号および第２のＱ成分信号を備える第２のＩＦ信号を供給するために、第２の周波数帯内の第２の経路上の少なくとも第２のＲＦ信号をダウンコンバートすることと、ここにおいて、前記第２のＲＦ信号をダウンコンバートすることは、第２の対の局部発振信号を使用することを備え、前記第１のＩＦ信号および前記第２のＩＦ信号は、周波数領域内に散在し、前記第１の周波数帯は、前記第２の周波数帯と異なる、
デジタル信号処理回路による受信のために出力信号経路上の第１の組合せ信号を供給するために、前記第１のＩ成分信号と前記第２のＩ成分信号とを組み合わせることと
を備える、信号処理のための方法。
【請求項２】
前記デジタル信号処理回路による受信のために第２の組合せ信号を供給するために、前記第１のＱ成分信号と前記第２のＱ成分信号とを組み合わせることをさらに備える、
請求項１に記載の方法。
【請求項３】
第１のＩ成分信号と第１のＱ成分信号とを備える第１のＩＦ信号を供給するために第１の周波数帯内の第１の経路上の第１のＲＦ信号をダウンコンバートすることと、ここにおいて、ダウンコンバータが、前記第１のＲＦ信号を前記第１のＩ成分信号と前記第１のＱ成分信号とに分離することを行うように構成された局部発振器の第１の対を含む、
第２のＩ成分信号および第２のＱ成分信号を備える第２のＩＦ信号を供給するために、第２の周波数帯内の第２の経路上の少なくとも第２のＲＦ信号をダウンコンバートすることと
を行うように構成されたダウンコンバータと、ここにおいて、前記ダウンコンバータは、前記第２のＲＦ信号を前記第２のＩ成分信号と前記第２のＱ成分信号とに分離するように構成された第２の対の局部発振器を含み、前記第１のＩＦ信号および前記第２のＩＦ信号は、周波数領域内に散在し、前記第１の周波数帯は、前記第２の周波数帯と異なる、
組合せＩ成分信号を供給するために、前記第１のＩ成分信号と前記第２のＩ成分信号とを組み合わせることを行うように構成された第１のコンバイナと、
組合せＱ成分信号を供給するために、前記第１のＱ成分信号と前記第２のＱ成分信号とを組み合わせることを行うように構成された第２のコンバイナと、
アナログ信号経路上で前記組合せＩ成分信号および前記組合せＱ成分信号を出力することを行うように構成されたドライバと
を備える、回路。
【発明の詳細な説明】
【関連出願】
【０００１】
関連出願の相互参照  
[0001]本願は、参照により本明細書に組み込まれる２０１３年３月８日出願の米国特許出願第１３／７９１０４８号の特典を主張する。
【技術分野】
【０００２】
[0002]本開示は周波数帯内の信号の処理に関する。
【背景技術】
【０００３】
[0003]デバイスまたは機器と通信するために様々なワイヤレスおよび非ワイヤレス信号が使用される。信号としては、限定はしないが、電気通信信号、位置信号、データ通信信号、センサ信号、および他のタイプの信号があり得る。電気通信信号、位置信号、データ通信信号、センサ信号、および他のタイプの信号のために様々な周波数帯が使用される。これらの信号は、その周波数および他の特性に基づいて互いの間で干渉を生み出し得る。したがって、従来のシステムは、多くの場合、相異なる周波数帯内の信号のための専用信号経路を有する。
【０００４】
[0004]信号の一例によれば、限定はしないがグローバルナビゲーション衛星システム（ＧＮＳＳ）を含むナビゲーションシステムで、位置信号が使用される。ＧＮＳＳのタイプとしては、全地球測位システム（ＧＰＳ）、グローバルナビゲーション衛星システム（ＧＬＯＮＡＳＳ）、ＢｅｉＤｏｕナビゲーションシステム、ガリレオ（Ｇａｌｉｌｅｏ）位置システム、および他の地域ナビゲーションシステムがある。
【０００５】
[0005]ＧＮＳＳは一般に、位置信号のためにいくつかの信号搬送周波数を使用する。たとえば、ＧＰＳは現在、ＧＨｚ範囲内の周波数のＬ１信号とＬ２信号とを使用している。ＧＰＳの予見された拡張は、１１７６．４５ＭＨｚのＬ５信号を含み得る。いくつかのＧＬＯＮＡＳＳ信号もＧＨｚ範囲内に配置される（たとえば、ＧＬＯＮＡＳＳ  Ｌ１（以下Ｒ１）およびＧＬＯＮＡＳＳ  Ｌ２（以下Ｒ２））。以下の表１は、Ｌ１、Ｌ２、Ｒ１、およびＲ２信号についてのパラメータを与える。ガリレオシステムは、以下の周波数を中心とする信号の使用を予見する。１５７４２ＭＨｚ（Ｌ１）、１５８９ＭＨｚ（Ｅ１）、１５６１ＭＨｚ（Ｅ２）、１６７６．４５ＭＨｚ（Ｅ５ａ）、１２０７．１４０ＭＨｚ（Ｅ５ｂ）、および１２７８．７５ＭＨｚ（Ｅ６）。表１に示され、上記で列挙される周波数帯の各々は、専用ＲＦ受信回路を必要とする。  
【０００６】
【表１】
0006352460.tif 000002
【０００７】
[0006]ＧＮＳＳ受信機をより多用途にし、雑音の多い環境または閉塞した環境でより安定的にするために、複数の周波数帯でＧＮＳＳ信号を受信することが望ましい。たとえば、従来のＧＰＳ受信機は、Ｌ１信号が利用不能であるときにＬ２信号が使用され得るように、Ｌ１信号とＬ２信号の両方を受信する能力を含んでいた。そのような受信機は、Ｌ１信号とＬ２信号の両方を受信するために、別々のアナログ処理回路を使用し、または空間および時間多重化を使用していた。Ｌ１信号とＬ２信号とを受信するための別々の回路の使用は、受信機のサイズと、コストと、重量とを増し加える。別々の回路の使用はまた、受信機内の構成要素についてのピンカウントを増し加える別々のアナログ信号経路を必要とする。空間および時間多重化の使用は、信号の受信に関連する分解能を低下させ得る。
【０００８】
[0007]ＧＮＳＳ受信機は、携帯電話、スマートフォン、タブレット、ネットブック、ラップトップ、自動車などの様々な製品に一体化されている。ナビゲーション動作により高い汎用性および安定性を与えるために、複数のタイプのＧＮＳＳ受信機を製品内に含めることが望ましいはずである。たとえば、ＧＮＳＳシステムの１タイプは特定のエリア内では利用可能でないことがあるか、または、あるＧＮＳＳについての信号が妨害されることがあり、別のタイプのＧＮＳＳまたは別のＧＮＳＳ信号を使用することが望ましいことがある。しかし、より多くのタイプのＧＮＳＳ受信機を製品に一体化することは、製品のサイズと、コストと、重量とを増し加える。たとえば、各タイプのＧＮＳＳについて別々のアナログ信号プロセッサを有することは、製品のサイズと、コストと、重量とを増し加える。各ＧＮＳＳおよび各ＧＮＳＳ信号について別々のアナログ信号経路をさらに有することは、製品内のピンカウントを増し加え、複数のアナログ−デジタル変換器（ＡＤＣ）をインターフェース製品に追加する。
【発明の概要】
【０００９】
[0008]例示的実施形態は方法に関する。方法は、第１のＩＦ信号を供給するために、第１の周波数帯内の第１の経路上の少なくとも第１の信号をダウンコンバートすることを備える。方法はまた、第２のＩＦ信号を供給するために、第２の周波数帯内の第２の経路上の少なくとも第２の信号をダウンコンバートすることをも備える。第２の信号は第２のベースバンド信号を含み得る。第１のＩＦ信号および第２のＩＦ信号が周波数領域内に散在し、第１の周波数帯は第２の周波数帯とは異なる。方法は、デジタル処理回路による受信のために出力信号経路上で組合せ信号を供給するために、第１のＩＦ信号と第２のＩＦ信号との少なくとも部分を組み合わせることをさらに備え得る。
【００１０】
[0009]別の例示的実施形態は回路に関する。回路は、第１のＩＦ信号を供給するために、第１の周波数帯内の第１の経路上で第１の信号をダウンコンバートし、第２のＩＦ信号を供給するために、第２の周波数帯内の第２の経路上で第２の信号をダウンコンバートするように構成されたダウンコンバータを備える。第１のＩＦ信号および第２のＩＦ信号が周波数領域内に散在し、第１の周波数帯は第２の周波数帯とは異なる。回路は、第１のＩＦ信号と第２のＩＦ信号との少なくとも部分を組み合わせるように構成されたコンバイナと、アナログ信号経路上に組合せ信号を出力するように構成されたドライバとをさらに備える。第１のＩＦ信号は、いくつかの実施形態ではゼロＩＦ（ＺＩＦ）、超低ＩＦ（ＶＬＩＦ）、または低ＩＦ（ＬＩＦ）信号であり得る。
【００１１】
[0010]別の例示的実施形態は装置に関する。装置は、周波数領域内に散在した２つ以上のダウンコンバートされた信号を供給するために、２つ以上のＧＮＳＳ信号をダウンコンバートするための手段と、デジタル信号プロセッサによる受信のために組合せ信号を生成するために、２つ以上のダウンコンバートされた信号を組み合わせるための手段とを備える。２つ以上のＧＮＳＳ信号は、相異なる周波数帯内にあり得る。
【００１２】
[0011]別の例示的実施形態は、デバイス上で実行されたとき、周波数領域内に散在すべき２つ以上のＧＮＳＳ信号をダウンコンバートすることを含むプロセスをデバイスに実施させるコンピュータプログラムを格納する非一時的コンピュータ可読記憶媒体に関する。プロセスは、２つ以上のＧＮＳＳ信号のベースバンド信号を含む、散在した組合せ信号を生成するために、ダウンコンバートされたＧＮＳＳ信号を組み合わせ得る。
【図面の簡単な説明】
【００１３】
【図１ａ】例示的実施形態による、信号受信機およびその関連する環境の概略図。
【図１ｂ】例示的実施形態による、信号を受信および処理するための方法ステップのフローチャート。
【図２ａ】例示的実施形態による、図１ａに示される信号受信機のアナログ部分およびデジタル部分の概略回路図。
【図２ｂ】別の実施形態による、図１ａに示される信号受信機のアナログ部分およびデジタル部分の概略回路図。
【図２ｃ】さらに別の実施形態による、図１ａに示される信号受信機のアナログ部分およびデジタル部分の概略回路図。
【図３ａ】例示的実施形態による、図１ａ、２ａ、および２ｃのアナログ部分によって生成され得る出力信号を示すグラフ。
【図３ｂ】別の実施形態による、図１ａ、２ａ、および２ｃのアナログ部分によって生成され得る出力信号を示すグラフ。
【図３ｃ】別の実施形態による、図１ａ、２ａ、および２ｃのアナログ部分によって生成され得る出力信号を示すグラフ。
【図３ｄ】別の実施形態による、図１ａおよび２ｂのアナログ部分によって生成され得る出力信号を示すグラフ。
【図４】例示的実施形態による、信号を受信するための方法ステップのフローチャート。
【図５】別の例示的実施形態による、信号を受信し、デジタルに処理するための方法ステップのフローチャート。
【発明を実施するための形態】
【００１４】
[0023]本明細書全体にわたって、「１つの例」、「１つの特徴」、「一例」、または「１つの特徴」に対する参照は、特徴および／または例に関連して説明される特定の特徴、構造、または特性が、特許請求される主題の少なくとも１つの特徴および／または例の中に含まれ得ることを意味する。したがって、本明細書全体にわたる様々な場所での「１つの例では」、「１つの実施形態では」、「一例」、「１つの特徴では」、または「一特徴」という語句の出現は、必ずしも同一の特徴および／または例をすべて参照するとは限らない。さらに、特定の特徴、構造、または特性が、１つまたは複数の例および／または特徴で組み合わされ得る。様々な例がＧＰＳ信号および特定の周波数帯に関して以下で説明されるが、それが限定的に与えられるとは限らず、請求項は、請求項内の特定のタイプの受信機および信号に明示的に限定されるのでない限り、すべてのタイプの信号および受信機に適用可能である。
【００１５】
[0024]本明細書で説明される実施形態のコンテキストでは、用語「受信機」および「ＧＮＳＳ受信機」は、完全な独立型受信機デバイスを示し得るが、複合デバイス内に含まれるモジュール、たとえば、携帯電話もしくはセルラー電話、カーアラーム、ＰＤＡ（ポータブルデジタルアシスタント）などの中のＧＮＳＳ（たとえば、ＧＰＳ、ＧＬＯＮＡＳＳなど）モジュールをも示し得る。上記の用語はまた、適切なバス、たとえばＧＰＳ  ＰＣカードによってホスティングデバイスに接続され得るプラグ接続可能デバイスをも示し得る。
【００１６】
[0025]用語「受信機」および「ＧＮＳＳ受信機」はまた、本明細書で説明される実施形態のコンテキストでは、上記で定義されるＧＮＳＳ受信機（たとえば、ＧＰＳ、ＧＬＯＮＡＳＳ、ＢｅｉＤｏｕシステム、またはローカルもしくは地域ナビゲーションシステム、または他のタイプのＧＮＳＳ受信機もしくは完全なモジュール）を実現するように構成された、より多くの集積回路のうちの１つを含むものと理解されたい。
【００１７】
[0026]図１ａを参照する１つの実施形態では、通信システム１００は、衛星１０３ａ〜ｘ、基地局１０４、擬似衛星などから信号を受信するように構成されるデバイス１２０を含む。デバイス１２０は任意のタイプの信号処理デバイスであり得る。１つの実施形態によれば、デバイス１２０は、より大きい製品またはシステムに一体化され得るＧＮＳＳ対応デバイスである。いくつかの実施形態では、デバイス１２０は、限定はしないが、セルラー電話、スマートフォン、タブレット、ラップトップコンピュータなどのポータブルデバイスであり得、本明細書で説明されない様々な他の構成要素を含み得る。
【００１８】
[0027]デバイス１２０は、アンテナ１４２と、アンテナ１４４と、受信機１３０とを含む。２つの別々のアンテナ１４２および１４４として示されるが、アンテナ１４２および１４４は、１つまたは複数の要素を有する単一のアンテナとして組み合わされ得る。１つの実施形態では、受信機１３０は、アナログフロントエンドまたはアナログ信号プロセッサ１５０と、デジタル信号プロセッサ１７０とを含む。アナログ信号プロセッサ１５０は、アンテナ１４２に関連付けられる信号経路１４３と、アンテナ１４４に関連付けられる信号経路１４５とに結合される。アナログ信号プロセッサ１５０は、アナログ信号経路１６０を介してデジタル信号プロセッサ１７０に結合される。
【００１９】
[0028]１つの実施形態では、有利には、デバイス１２０は、単一のＧＮＳＳシステムからの複数のＧＮＳＳ信号、および／または複数のタイプのＧＮＳＳからの信号を処理するように構成される。１つの実施形態では、デバイス１２０は、同一のアナログフロントエンド（たとえば、プロセッサ１５０）を使用して、ＧＰＳからのＬ１信号とＬ２信号とを処理し、ＧＬＯＮＡＳＳからのＲ１信号とＲ２信号とを処理し得る。ＧＰＳおよびＧＬＯＮＡＳＳについて言及されたが、デバイス１２０は、限定はしないが、ＢｅｉＤｏｕナビゲーションシステム、ガリレオ位置システム、および他の地域もしくはローカルナビゲーションシステムに関連する信号を含む、他のタイプのＧＮＳＳなどの他のソースからの信号を処理するように構成され得る。
【００２０】
[0029]アナログ信号プロセッサ１５０は、ダウンコンバータ１５２と、信号経路１５４と、信号経路１５６と、コンバイナ１５８とを含む。アナログ信号プロセッサ１５０は、アンテナ１４２および１４４から信号（たとえば、限定はしないが、ＧＮＳＳ  Ｌ１／Ｒ１、Ｌ２／Ｒ２信号、および／または他の信号などの位置信号）を受信し、デジタル信号プロセッサ１７０のためのアナログ信号経路１６０でアナログ出力信号を生成するためにアナログ信号処理を実施するように構成される。デジタル信号プロセッサ１７０は、アナログ出力信号をデジタル信号に変換し、ナビゲーション、ターゲッティング、および／または測位動作のためにデジタル信号を処理する。１つの実施形態では、アナログ信号プロセッサ１５０は、デジタル信号プロセッサ１７０とアナログ信号プロセッサ１５０との間に単一のリンクまたは経路１６０だけがあるように、複数の異なるタイプの信号を受信し、信号を処理するように構成される。１つの実施形態では、経路１６０は、変調衛星信号に関連する、差分ＩおよびＱ信号のための４つの導線経路などの複数の導線を含むことができる。あるいは、経路１６０は導線対または単一の導線であり得る。有利には、デバイス１２０の実施形態は、より小さいピンカウント、サイズ、および電力使用量に対して受信機１３０を最適化しながら、ナビゲーション、ターゲッティング、および／または測位動作を安定的に実施するように構成され得る。
【００２１】
[0030]１つの実施形態では、周波数ダウンコンバータ１５２は、２つ以上の信号を受信し、各信号が他のどんな信号とも重複しないように各信号を周波数領域内に散在させ得る。いくつかの例示的実施形態では、周波数ダウンコンバータ１５２は、第１の信号のベースバンド信号を、ゼロＩＦ（ＺＩＦ）（たとえば、０ＭＨｚ）、超低ＩＦ（ＶＬＩＦ））（たとえば、±１ＭＨｚ）、または低ＩＦ（ＬＩＦ）０ＭＨｚ（ＺＩＦ）（たとえば、±３ＭＨｚ）に配置するように構成される。この実施形態では、第１の信号のベースバンド信号は、第２の信号から離れて散在し得る。第１の信号が経路１５４上でコンバイナ１５８に送信され、第２の信号が経路１５６上でコンバイナ１５８に送信される。１つの実施形態では、コンバイナ１５８は、アナログ信号プロセッサ１５０とデジタル信号プロセッサ１７０との間のインターフェース線（および／またはピン）の数を削減するために、ベースバンド（ＢＢ）信号（たとえば、Ｌ１／Ｒ１およびＬ２／Ｒ２  ＢＢ信号）を含む組合せ信号を経路１６０上で送達する。１つの実施形態では、コンバイナ１５８は、図３ａに示されるように信号が周波数領域で依然として分離されるように信号を組み合わせる。コンバイナ１５８は、電圧領域または電流領域で経路１５４および１５６上の信号を組み合わせ得る。コンバイナ１５８は、経路１６０上の信号をデジタル信号プロセッサ１７０内のアナログ−デジタル変換器に出力し得る。例示的な一実施形態では、デジタル信号プロセッサ１７０は、アナログ信号プロセッサ１５０とは異なる物理チップ上に配置され得る。あるいは、デジタル信号プロセッサ１７０は、アナログ信号プロセッサと同一のチップ上に配置される。１つの実施形態では、コンバイナ１５８はベースバンド電流モードコンバイナであり得る。
【００２２】
[0031]１つの実施形態によれば、デバイス１２０は、いくつかのＧＮＳＳ信号が妨害されている、干渉している、またはナビゲーション、ターゲッティング、および／または測位動作には不十分であると決定するように構成され得る。例示的な一実施形態では、Ｌ１／Ｒ１帯内の位置信号が妨害され、または不十分な信号品質を有し得る。それに応答して、１つの実施形態では、デバイス１２０は、引き続きデバイスの位置を決定するために、Ｌ２／Ｒ２帯が必要であると決定し得、アナログ信号プロセッサ１５０は、多重化および信号劣化なしに、受信した信号をＬ２／Ｒ２帯内で供給し得る。別の実施形態では、Ｌ２／Ｒ２帯は、Ｌ１／Ｒ１妨害信号のない状態で使用され得る。
【００２３】
[0032]様々な他のタイプの送信機からの信号は、ＧＮＳＳ信号を妨害し、またはＧＮＳＳ信号と干渉し得る。たとえば、Ｌ１信号が、限定はしないが、７８８ＭＨｚの信号の第２高調波（Ｂ１３／１４）、１８５１ＭＨｚ（ＰＣＳ）と１７８３ＭＨｚ（ＡＷＳ）とによる相互変調信号、２．４ＧＨｚ（ＷＬＡＮ）と８２５ＭＨｚ（セル）とによる相互変調信号などの他の信号によって妨害または干渉され得る。Ｌ１／Ｒ１妨害は、同時Ｌ１／Ｌ２および／またはＲ１／Ｒ２受信によって回避され得る。Ｌ２干渉回避の結果、妨害対抗および差分ＧＮＳＳ（たとえば、ＧＰＳ）解決策が生じ得る。しかし、同時Ｌ１／Ｌ２信号受信により、従来の受信機内の面積と、使用される電力と、ピンとの増大が生じ得る。１つの実施形態では、有利には、散在した周波数割振りのために構成された局部発振器（ＬＯ）を備えるダウンコンバータがアナログプロセッサ１５０で使用される。１つの実施形態では、アンテナ１４２および１４４からの信号が、Ｌ２信号についてのベースバンド信号が中間周波数信号（ＩＦ）の周波数領域内のＬ１および／またはＲ１信号についてのベースバンド信号間に配置されるようにＬＯ周波数を適切に選ぶことによってダウンコンバートされ得る。
【００２４】
[0033]図１ｂを参照すると、信号を処理するための方法１８０のフローチャートが例示的な一実施形態に従って示されている。１つの実施形態では、信号は、１つまたは複数のＧＰＳ信号を含むＧＮＳＳ位置信号であり得るが、任意のタイプの信号が方法１８０で利用され得る。方法１８０は、アナログプロセッサ１５０で実装され得るステップ１８２を含む。１つの実施形態では、ステップ１８２は、ダウンコンバータ２０５（図２ａ）、ミキサ２４３および２４４（図２ｂ）、あるいはミキサ２８３および２８４（図２ｃ）によって実装され得る。ステップ１８２では、１つの実施形態では、ダウンコンバータは、２つの信号の一方をＬＩＦ、ＶＬＩＦ、またはＺＩＦ信号にダウンコンバートし、２つの信号の他方をＩＦ信号にダウンコンバートするために局部発振器混合方式を使用する。局部発振器周波数は、信号を適切な周波数帯に適切にダウンコンバートするように選ばれる。ステップ１８４では、１つの実施形態では、アナログ信号プロセッサが、デジタル信号プロセッサによる受信のために出力信号経路上に組合せ信号を供給するために、第１のＩＦ信号と第２のＩＦ信号との少なくとも部分を組み合わせる。ステップ１８６では、１つの実施形態では、共通アナログ−デジタル変換器（ＡＤＣ）が組合せＩＦ信号を受信した後、デジタル信号プロセッサが信号を同時にフィルタ処理および復調し得る。１つの実施形態では、組合せ信号が、電流モードで動作する共通ドライバまたは増幅器によってＡＤＣに供給され得る。別の実施形態では、ドライバは電圧モードで動作し得る。
【００２５】
[0034]図２ａを参照すると、受信機１３０は、アナログ信号プロセッサ１５０と、アナログ信号経路１６１と、デジタル信号プロセッサ１７０とを含む。受信機１３０は、１つまたは複数のＧＮＳＳシステムからの信号を処理するように構成される。いくつかの実施形態では、受信機１３０は、ＧＰＳ  Ｌ１／Ｌ２帯とＧＬＯＮＡＳＳ  Ｒ１／Ｒ２帯（たとえば、アナログ信号の２つ以上または４つ以上の異なる帯域幅）とを処理するように構成される。
【００２６】
[0035]相異なる帯域幅の信号を処理した後、アナログ信号プロセッサ１５０は、デジタル信号プロセッサ１７０に送達されるアナログ信号経路１６１上に単一の信号を生成し得る。１つの実施形態では、アナログ信号経路１６１は、差分信号についての単一の導線または１対の導線を有し得る。アナログ信号プロセッサ１５０は、１つまたは複数のフロントエンド回路２０１、２０３と、周波数ダウンコンバータ２０５と、２つ以上のフィルタ２１０および２１２（たとえば、ベースバンドまたはＩＦフィルタ）と、コンバイナ２１４と、出力ドライバ２１６（たとえば、ベースバンドまたはＩＦ出力ドライバ）とを含む。デジタル信号プロセッサ１７０は、デジタルダウンコンバータ２２１によってダウンコンバートされる単一のデジタル信号を生成する単一のアナログ−デジタル変換器２２０を含む。ベースバンドプロセッサ２２４、２２６、２２８、２３０、および２３２は、デジタルダウンコンバータ２２１によって生成される出力から、適切なタイプの元の帯域幅を有する信号を抽出するように構成される。いくつかの実施形態では、ベースバンドプロセッサ２２４、２２６、２２８、２３０、および２３２は、本来は４つ以上の異なるアナログ帯に属したデジタル信号を抽出するように構成される。システム基準と設計仕様とに応じて、より少数または多数のベースバンドプロセッサが利用され得る。
【００２７】
[0036]１つの実施形態では、２つの信号が、フロントエンド回路２０１および２０３によって経路１４３および１４５で受信される。１つの実施形態では、経路１４３および１４５上の信号は、アンテナ１４２および１４４から同時に受信され得る。１つの実施形態では、フロントエンド回路２０１および２０３は、同時に受信した信号（たとえば、Ｌ１／Ｒ１およびＬ２／Ｒ２信号などのＲＦ信号）を増幅し得る。いくつかの実施形態では、フロントエンド回路２０１および２０３は、（たとえば、周波数ダウンコンバージョンフィルタの前の）前置フィルタと、低ノイズ増幅器（ＬＮＡ）と、利得回路とを含み得る。前置フィルタは、Ｌ１／Ｒ１およびＬ２／Ｒ２帯に対して中心が置かれ得る。他の実施形態では、ＲＦフロントエンド回路２０１および２０３がアンテナ１４２および１４４とともに配置され得る。
【００２８】
[0037]ダウンコンバータ２０５は、２つの異なる局部発振器を使用し、または同一の局部発振器を使用して、ダウンコンバージョン周波数が回路２０１および２０３からの信号をダウンコンバートするように修正される。１つの実施形態では、信号は、ベースバンドまたは中間周波数（ＩＦ）にダウンコンバートされ、経路２０７および２０９上に供給される。１つの実施形態では、経路２０７および２０９上の信号の一方が、ゼロＩＦ（ＺＩＦ）、超低ＩＦ（ＶＬＩＦ）、または低ＩＦ（ＬＩＦ）信号となるようにダウンコンバートされ、他方の信号が、−２５ＭＨｚから＋２４ＭＨｚの間の、ＺＩＦ、ＶＬＩＦ、およびＬＩＦ範囲外の周波数範囲にダウンコンバートされる。代替周波数範囲としては、−２０．６ＭＨｚから＋１６ＭＨｚ、−１８．６ＭＨｚから＋１４ＭＨｚ、−１４．６ＭＨｚから＋１２ＭＨｚなどがある。１つの実施形態では、ダウンコンバータ２０５は、ＺＩＦ、ＶＬＩＦ、またはＬＩＦスペクトルのうちの１つを使用して、ダウンコンバートされたＬ２周波数をダウンコンバートされたＬ１およびＲ１周波数スペクトルの間に散在させるように構成される。１つの実施形態では、図１、図２ａ、および図２ｃに示される回路は、正と負の両方の周波数を有するアナログ信号を生成する。図２ｂに示される回路は、正の周波数を有するアナログ信号を生成する。１つの実施形態では、図２ｂに示される回路は、図３ｄを参照しながら論じられるように、負の周波数を有する信号を生成することに失敗する。
【００２９】
[0038]１つの実施形態では、周波数ダウンコンバータ２０５は、２つ以上のＧＮＳＳ信号を受信し、各信号が任意の他の信号と重複しないように各信号を周波数領域内に散在させ得る。いくつかの例示的実施形態では、周波数ダウンコンバータ２０５は、Ｌ２信号のベースバンド信号（Ｌ２  ＢＢ信号）を０ＭＨｚ（ＺＩＦ）、±１ＭＨｚ（ＶＬＩＦ）、または±３ＭＨｚ（ＬＩＦ）に配置するように構成される。この実施形態では、Ｌ１信号のベースバンド信号（Ｌ１  ＢＢ信号）は、Ｌ２  ＢＢ信号から離れて散在し得る。
【００３０】
[0039]１つの実施形態では、経路２０７および２０９はそれぞれ、ダウンコンバートされた信号のＩおよびＱ成分についての２つのワイヤ経路、またはダウンコンバートされた信号のＩおよびＱ成分についての４つのワイヤ差分経路であり得る。１つの実施形態では、ダウンコンバート後、ダウンコンバートされた信号は、経路２０７および２０９上でそれぞれフィルタ２１０および２１２によってフィルタ処理され、コンバイナ２１４によって組み合わされる。１つの実施形態では、フィルタ２１０および２１２は、ＺＩＦ、ＶＬＩＦ、またはＬＩＦ信号を選択的に通過させるための低域、帯域、高域フィルタであり得る。１つの実施形態では、フィルタ２１０および２１２の一方はベースバンド、あるいはＺＩＦ、ＶＬＩＦ、またはＬＩＦフィルタであり、フィルタ２１０および２１２の他方は、ＬＩＦからＩＦの間の範囲を有するフィルタである。コンバイナ２１４は、電流モードベースバンドフィルタまたは電圧モードコンバイナであり得る。
【００３１】
[0040]１つの実施形態では、フィルタ２１０は、周波数ダウンコンバータ２０５から受信したＬ２および／またはＲ２信号から高周波ジャマーおよび高調波を除去する。１つの実施形態では、フィルタ２１２は、周波数ダウンコンバータ２０５から受信したＬ１および／またはＲ１信号から高周波ジャマーおよび高調波を除去する。
【００３２】
[0041]経路２１１および２１３上の信号がコンバイナ２１４によって組み合わされ、得られる信号が、経路２１５を介して出力ドライバ２１６に供給される。ドライバ２１６は、デジタル信号プロセッサ１７０による受信のために組合せ信号を経路１６１に供給する。アナログーデジタル変換器２２０は、ベースバンドプロセッサ２２４、２２６、２２８、２３０、および２３２によって処理するために、経路１６１上のアナログ信号をデジタル信号に変換する。
【００３３】
[0042]この実施形態では、Ｌ１  ＢＢ信号は、０ＭＨｚから−１３．６ＭＨｚに位置し得る。別の実施形態では、ダウンコンバータ２０５は、Ｌ１  ＢＢ信号を０ＭＨｚに、Ｌ２  ＢＢ信号を−１３．６ＭＨｚに配置し得る。他の実施形態では、散在するとは、２つ以上の信号がダウンコンバートされた後、各信号が任意の他の信号の帯域幅と重複しないことを意味し得る。いくつかの実施形態では、散在した信号は、周波数領域内で互いに重複しない。ダウンコンバータ２０５は、元のＲＦ信号の周波数を低減するための整合周波数を有する信号を生成するようにそれぞれ構成される１つまたは複数の局部発振器を含み得る。たとえば、Ｌ２  ＢＢ信号を１２２７．６ＭＨｚからＶＬＩＦ  ＋１ＭＨｚ信号にダウンコンバートするために、１つの実施形態では、ダウンコンバータ２０５内の局部発振器は、＋１ＭＨｚ信号だけが残るように、１２２６．６ＭＨｚの周波数を有する信号を生成するように構成される。前述のように、図１ａ、図２ａ、および図２ｃに示される回路は、正と負の両方の周波数を有するアナログ信号を生成する。１つの実施形態では、図２ｂに示される回路は、正の周波数を有するアナログ信号を生成する。１つの実施形態では、図２ｂに示される回路は、図３ｄに示されるように負の周波数を有する信号を生成することに失敗する。
【００３４】
[0043]コンバイナ２１４は、アナログ信号プロセッサ１５０とデジタル信号プロセッサ１７０との間のインターフェース線（および／またはピン）の数を削減するために、ＢＢ信号（たとえば、Ｌ１／Ｒ１およびＬ２／Ｒ２  ＢＢ信号）を含む組合せ信号を経路２１５上で送達する。１つの実施形態では、コンバイナ２１４は、図３ａに示されるように信号が周波数領域で依然として分離されるように信号を組み合わせる。コンバイナ２１４は、電圧領域または電流領域で信号２１１および２１３を組み合わせ得る。コンバイナ２１４は、経路２１５上の信号を出力ドライバ２１６に出力し得、出力ドライバ２１６は、経路１６１を介してアナログ信号を変換器２２０のアナログ−デジタル変換器入力に出力する。例示的な一実施形態では、デジタル信号プロセッサ１７０は、アナログ信号プロセッサ１５０とは異なる物理チップ上に配置され得る。１つの実施形態では、コンバイナ２１４はベースバンド電流モードコンバイナであり得る。
【００３５】
[0044]１つの実施形態では、アナログ出力経路１６１はＬ１／Ｒ１  ＢＢ信号とＬ２／Ｒ２  ＢＢ信号の両方を送達する。いくつかの実施形態では、アナログ経路１６１は直交（ＩおよびＱ）ＢＢ信号を供給する。他の実施形態では、経路１６１は、信号を並列に送達する複数の物理接続を含むバスであり得る。別の実施形態では、経路１６１は、デジタル信号プロセッサ１７０内のアナログ−デジタル変換器２２０と、アナログ信号プロセッサ１５０内の出力ドライバ２１６とを接続する単一のワイヤまたは差分経路であり得る。１つの実施形態では、信号が受信されるとき、Ｌ１／Ｒ１およびＬ２／Ｒ２  ＢＢ信号は空間多重化または時間多重化されない。
【００３６】
[0045]デジタル信号プロセッサ１７０は、アナログ−デジタル変換器（ＡＤＣ）２２０と、ベースバンドプロセッサ２２４、２２６、２２８、２３０と、他のプロセッサ２３２とを含む様々な構成要素を含む。前述のように、デジタル信号プロセッサ１７０は、アナログ信号プロセッサ１５０とは異なる物理チップ上に配置され得る。アナログ−デジタル変換器（ＡＤＣ）２２０は、ＧＮＳＳを備えるすべての位置信号を処理するように構成されたＧＮＳＳアナログ−デジタル変換器であり得る。他の実施形態では、ＡＤＣ２２０はサブサンプリング変換器ではなく、その代わりに、ＡＤＣ２２０は、ナイキストまたはオーバサンプリングレート変換器である。１つの実施形態では、デジタル信号プロセッサ１７０は、アナログ信号を受信する単一の入力線、差分入力線、または直交入力線を有し、受信した信号が、単一の経路ＡＤＣ２２０に入力として供給される。アナログ信号をデジタル信号に変換した後、ベースバンドプロセッサＢＰ（Ｌ１）２２４は、Ｌ１  ＢＢ帯に対応するデジタルデータを整合フィルタ処理し得る。アナログ信号をデジタル信号に変換した後、ベースバンドプロセッサＢＰ（Ｒ１）２２６は、Ｒ１  ＢＢ帯に対応するデジタルデータを整合フィルタ処理し得る。アナログ信号をデジタル信号に変換した後、ベースバンドプロセッサはＢＰ（Ｌ２）２２８は、Ｌ２  ＢＢ帯に対応するデジタルデータを整合フィルタ処理し得る。他のベースバンドプロセッサ２３２は、他のＧＮＳＳ帯を整合フィルタ処理し得る。プロセッサ１７０は、本発明の範囲から逸脱することなく、経路１６１上で受信した信号に対する追加の動作を実施し得る。
【００３７】
[0046]プロセッサ１７０はアナログ信号プロセッサ１５０と一体化され得、プロセッサ１７０は、本明細書で説明する機能を実施するように設計された１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、他のデバイスユニット、および／またはその組合せの中に実装され得る。プロセッサ１５０および／または１７０は、本明細書で説明するプロセスを実施するためのデータおよび／または命令の形態の情報を格納するように動作可能にされ得る任意のタイプのメモリを含み得る。限定ではなく例として、メモリは、製造品内に含まれ得、非一時的形態のメモリ、１つまたは複数の光データ記憶ディスク、１つまたは複数の磁気記憶ディスクもしくはテープなどを含み得る。
【００３８】
[0047]したがって、１つの実施形態では、図２ａの回路は、製品のサイズと、コストと、重量とを増大させることなく、複数のタイプのＧＮＳＳ受信機を製品に一体化することを含む様々な利点を達成する。たとえば、１つの実施形態では、図２ａの回路は、すべてのタイプのＧＮＳＳについて単一のアナログ信号プロセッサ１５０を有し、したがって複数のアナログプロセッサを必要とすることによって製品のサイズと、コストと、重量とを増加しえない。さらに、１つの実施形態では、図２ａの回路は、製品内のピンカウントを削減するために、すべての所望のＧＮＳＳについて単一のアナログ信号経路１６１を有し、インターフェース製品に対して単一のアナログ−デジタル変換器２２０（ＡＤＣ）を使用する。
【００３９】
[0048]図２ｂは、別の実施形態による、受信機１３０のためのアナログ信号プロセッサ２４０と、デジタル信号プロセッサ２７１とを示す。アナログ信号プロセッサ２４０およびデジタル信号プロセッサ２７１は、上記で論じたアナログ信号プロセッサ１５０およびデジタル信号プロセッサ１７０と同様である。アナログ信号プロセッサ２４０は、１つまたは複数の信号を受信するように構成される回路を含む。たとえば、１つの実施形態では、アンテナ１４２および１４４（図１ａ）からの経路１４３および１４５上の信号が、初めにアナログ信号プロセッサ２４０によって受信されるものとして示されている。図２ｂでは２つの信号が示されているが、１つの実施形態では、アナログ信号プロセッサ２４０はより多くの信号を受信し得る。別の実施形態では、１つの信号線が、アナログ信号プロセッサ２４０に１つまたは複数の信号を供給し得る。１つの実施形態では、アンテナ１４２および１４４から受信される経路１４３および１４５上の信号が、初めにそれぞれＲＦフロントエンド回路２４１およびＲＦフロントエンド回路２５６によって受信される。ＲＦフロントエンド回路２４１および２５６は、前述のＲＦフロントエンド回路２０１および２０３と同様の方式で動作し得る。
【００４０】
[0049]１つの実施形態では、ＲＦフロントエンド回路２４１および２５６は、同時に受信され、継続的に量子化されたＲＦ信号を増幅し得る。いくつかの実施形態では、ＲＦフロントエンド回路２４１および２５６は、低ノイズ増幅器（ＬＮＡ）と利得ブロックとを含み得る。他の実施形態では、ＲＦフロントエンド回路２４１および２５６は、アンテナ１４２および１４４とともに配置され得る。いくつかの実施形態では、ＲＦフロントエンド回路２４１および２５６は、位置信号、電気通信信号、または受信することが望まれる別のタイプの信号に対して中心が置かれるプリセレクタフィルタを含む。たとえば、回路２４１内のプリセレクタフィルタは、限定はしないがＬ２帯および／またはＲ２帯などの、位置信号に対して中心が置かれる周波数を有し得、回路２５６内のプリセレクタフィルタは、限定はしないがＬ１帯および／またはＲ１帯などの、位置信号に対して中心が置かれる周波数を有し得る。
【００４１】
[0050]ＲＦフロントエンド回路２４１および２５６から得られる信号が、ミキサ２４３および２５８を使用することによって経路２４７および３６２で同相（Ｉ）信号に、ミキサ２４４および２５９を使用することによって経路２４８および２６３で直交位相（Ｑ）信号に分割され得る。１つの実施形態では、信号をそのＩ成分とＱ成分とに分割することにより、負の周波数における信号の処理が可能となる。
【００４２】
[0051]ミキサ２４３によって供給されるＢＢ信号の周波数が、入力２４５で局部発振器信号によって制御され得る。ミキサ２４４によって供給されるＢＢ信号の周波数が、入力２４６で局部発振器信号によって制御され得る。１つの実施形態では、ミキサ２４３は、同相ＬＯとＲＦ信号を乗算し、得られる同相信号をフィルタ２４９に送達する。１つの実施形態では、ミキサ２４４は、直交ＬＯとＲＦ信号を乗算し、得られる直交信号をフィルタ２５０に送達する。１つの実施形態では、ミキサ２４３および２４４は、ミキサ２５８および２５９に関連する周波数とは異なる周波数に、受信した信号をダウンコンバートするように構成される。他の実施形態では、ミキサ２４３および２４４は、ミキサ２５８および２５９によって供給される信号の周波数を決定することと、異なる周波数を選ぶこととに基づく周波数にダウンコンバートするように構成される。
【００４３】
[0052]フィルタ２４９（たとえば、ＩＦまたはベースバンドフィルタ）は、ミキサ２４３から受信した同相Ｌ２および／またはＲ２信号から、高周波妨害信号と、所望の信号の高調波であり得る他の信号とを除去する。１つの実施形態では、フィルタ２５０（たとえば、ベースバンドまたはＩＦフィルタ）は、ミキサ２４４から受信した直交Ｌ２および／またはＲ２信号から、高周波妨害信号と、所望の信号の高調波であり得る他の信号とを除去する。信号をフィルタ処理した後、信号は多相フィルタ２５１に送達され、多相フィルタ２５１は、経路２５２上に信号を形成するためにＩ成分とＱ成分とを組み合わせる。１つの実施形態では、経路２５２上の信号はコンバイナ２５３に送達され、またはコンバイナ２５３によって受信される。コンバイナ２５３は、図２ａを参照しながら論じたコンバイナ２１４と同様の機能を実施する。
【００４４】
[0053]１つの実施形態では、フロントエンド回路２５６は経路１４５上の信号を受信する。１つの実施形態では、フロントエンド回路２５６は、経路２５７上に信号を生成するために、フロントエンド回路２４１と同様の方式で信号１４５を処理する。ミキサ２５８および２５９は、それぞれミキサ２４３および２４４と同様の方式で信号を処理する。ミキサ２５８および２５９は、それぞれの入力２６０および２６１で局部発振器信号を受信し、信号のダウンコンバージョンを実施し、信号をそのＩ成分とＱ成分とに分離し得る。ミキサ２５８および２５９は、ミキサ２４３および２４４に関連する周波数とは異なる周波数に信号をダウンコンバートし得る。経路２５７上の信号をダウンコンバートおよび分離した後、経路２６２および２６３上の信号が、それぞれのフィルタ２６４および２６５に送達される。フィルタ２６４および２６５（たとえば、ＩＦまたはベースバンドフィルタ）は、フィルタ２４９および２５０と同様の機能を実施する。フィルタ２６４および２６５からの信号は多相フィルタ２６６に送信される。多相フィルタ２６６は、多相フィルタ２５１に関して上記で論じたのと同様の機能を実施する。多相フィルタ２６６は、コンバイナ２５３に供給される経路２６７上に信号を生成する。
【００４５】
[0054]１つの実施形態によれば、経路２５２および２６７上の信号を受信した後、コンバイナ２５３は、上記で説明したコンバイナ２１４と同様のプロセスで、２つの信号の電流組合せを実施する。１つの実施形態によれば、コンバイナ２５３は、散在し、周波数領域で重複しない２つの信号を組み合わせる。経路２５４上の信号は出力ドライバ２５５に送達され得、出力ドライバ２５５は、経路１４３および１４５に関連する両方のＢＢ信号を組み合わせる単一の信号経路を生成し得る。
【００４６】
[0055]アナログ信号経路２７０は、単一のアナログ出力経路２７０上で、経路１４３および１４５に関連する両方のＢＢ信号（たとえば、Ｌ１／Ｒ１およびＬ２／Ｒ２  ＢＢ信号）を送達する。いくつかの実施形態では、経路２７０は、単一のワイヤ、差分ワイヤ対、または信号を並列に送達する複数の物理接続を含むバスであり得る。１つの実施形態では、経路２７０は、デジタル信号プロセッサ２７１内のアナログ−デジタル変換器２７２と、アナログ信号プロセッサ２４０からの出力ドライバ２５５とを接続する単一のワイヤであり得る。例示的な一実施形態では、信号が受信された後、経路１４３および１４５上のＬ１／Ｒ１およびＬ２／Ｒ２  ＢＢ信号は、プロセッサ２４０で空間多重化または時間多重化されない。経路２７０上の信号を受信した後、アナログ−デジタル変換器２７２はアナログ信号をデジタル信号に変換し、デジタル信号をデジタルダウンコンバータ２７３に送達し得る。１つの実施形態では、デジタルダウンコンバータ２７３は、アナログ−デジタル変換器２７２からの信号をさらにダウンコンバートし得る。デジタルダウンコンバータ２７３は、注目の周波数帯をスペクトルの下方に移動することを可能にし、したがってサンプルレート、フィルタ要件、およびデジタル処理負荷が低減される。
【００４７】
[0056]したがって、１つの実施形態では、図２ｂの回路は、製品のサイズと、コストと、重量とを増大させることなく、複数のタイプのＧＮＳＳ受信機を製品に一体化することを含む様々な利点を達成する。たとえば、１つの実施形態では、図２ｂの回路は、すべてのタイプのＧＮＳＳについて単一のアナログ信号プロセッサ２４０を有し、したがって製品のサイズと、コストと、重量とを増し加えない。さらに、１つの実施形態では、図２ａの回路は、製品内のピンカウントを削減するために、すべての所望のＧＮＳＳについて単一のアナログ信号経路２７０を有し、単一のアナログ−デジタル変換器２７２（ＡＤＣ）を使用する。
【００４８】
[0057]図２ｃは、アナログ信号プロセッサ２８０と、デジタル信号プロセッサ３００とを示す。アナログ信号プロセッサ２８０は、フロントエンド回路２８１、２９５と、ミキサ２８３、２８４、２９７、および２９９と、ベースバンドフィルタ２８９、２９０、３３４、および３３５と、コンバイナ２９２、３３９と、アナログ出力ドライバ２９４および３４０とを含む。デジタル信号プロセッサ３００は、２つ以上のＩ、Ｑアナログ−デジタル変換器３４２および３４３と、デジタル複合ダウンコンバータ３４４と、ベースバンドプロセッサ２７４、２７５、２７６、２７７、および２７８とを含む。
【００４９】
[0058]図２ａおよび図２ｂに関連して上記で論じたように、フロントエンド回路２８１および２９５は、それぞれフロントエンド回路２０１および２０３と同様の方式で信号を処理する。追加または代替として、フロントエンド回路２８１および２９５は、それぞれフロントエンド回路２４１および２５６と同様の方式で信号を処理する。ミキサ２８３および２８４は、図２ｂを参照しながら論じたミキサ２４３および２４４と同様の方式で信号を処理する。ミキサ２９７および２９９は、図２ｂを参照しながら論じたミキサ２５８および２５９と同様の方式で信号を処理する。
【００５０】
[0059]フィルタ２８９および２９０（たとえば、ベースバンドまたはＩＦフィルタ）は、信号２８７および２８８を受信し、それらをフィルタ２４９および２５０と同様の方式で処理する。フィルタ３３４および３３５は、信号３３２および３３３を受信し、それらをフィルタ２６４および２６５と同様の方式で処理する。
【００５１】
[0060]図２ｃでは、図２ｂを参照しながら論じたようにＩ信号とＱ信号とを組み合わせる代わりに、アナログ信号プロセッサ２８０は、２つ以上の異なる信号のＩ成分を組み合わせ、２つ以上の受信した信号のＱ成分を組み合わせる２つ以上のコンバイナ（たとえば、コンバイナ２９２および３３９）を含む。コンバイナ２９２および３３９は、経路２９３ａおよび２９３ｂ上でアナログ出力ドライバ２９４および３４０に信号を供給し得る。例示的な一実施形態では、出力ドライバ２９４は、経路１４３および１４５上の２つの異なる信号から組み合わされたＩ成分を、デジタル信号プロセッサ３００に送達し得る。例示的な一実施形態では、出力ドライバ３４０は、経路１４３および１４５上の２つの異なる信号から組み合わされたＱ成分を、デジタル信号プロセッサ３００に送信し得る。
【００５２】
[0061]デジタル信号プロセッサ３００は、アナログ−デジタルコンバータ３４２および３４３と、デジタル複合ダウンコンバータ３４４と、ベースバンドプロセッサ２７４、２７５、２７６、２７７、および２７８とを含み得る。複合ダウンコンバータ３４４は、Ｉ成分とＱ成分とを受信し、ベースバンドプロセッサ２７４、２７５、２７６、および２７８のための信号を供給する。１つの実施形態では、コンバータ３４４は、同相ＡＤＣ３４２および直交位相ＡＤＣ３４３からＩＦ信号を受信し、ベースバンドプロセッサ２７４、２７５、２７６、２７７、および２７８のための、ゼロ周波数を中心とするベースバンド複合信号を供給する。デジタルダウンコンバータ２２１および２７３とは異なり、デジタル複合ダウンコンバータ３４４は、同相信号と直交信号などの２つの信号を受信し、ゼロ周波数を中心とするベースバンド複合信号を出力する。
【００５３】
[0062]したがって、１つの実施形態では、図２ｃの回路は、製品のサイズと、コストと、重量とを増大させることなく、複数のタイプのＧＮＳＳ受信機を製品に一体化することを含む様々な利点を達成する。たとえば、１つの実施形態では、図２ｂの回路は、すべてのタイプのＧＮＳＳについて単一のアナログ信号プロセッサ２８０を有し、したがって製品のサイズと、コストと、重量とを増し加えない。さらに、図２ｃの回路は、製品内のピンカウントを削減するために、２つのアナログ信号経路２９５および３４１（１つは同相信号用、１つは直交信号用）を有し、２つのアナログ−デジタル変換器（ＡＤＣ）３４２および３４３（１つは同相信号用、１つは直交信号用）を使用する。
【００５４】
[0063]図３ａは、アナログベースバンド出力を周波数スペクトルで示すグラフを示す。図３ａは、１つの実施形態でのアナログ出力経路１６０（図１ａ）の組合せ信号を示す。図３ａに示されるように、１つの実施形態では、Ｌ２  ＢＢ信号を含むＺＩＦ、ＬＩＦ、またはＶＬＩＦ信号３０２が、−１３．６ＭＨｚを中心とするＬ１  ＢＢ信号を含むＩＦ信号３０１と、＋１２ＭＨｚを中心とするＲ１  ＢＢ信号を含むＩＦ信号３０３との間に（散在して）配置される。信号３０２は、ＺＩＦ、ＶＬＩＦ、またはＬＩＦ配置に応じて異なる位置に散在し得る。図３ａに示される配置では、Ｌ１信号が妨害され、または利用不能であるときであっても、受信機１３０はＬ２信号を引き続き受信し得る。
【００５５】
[0064]他の実施形態では、信号３０１、信号３０２、および信号３０３の周波数領域内の位置または配置が、切り換えられ、または交換され得る。たとえば、１つの実施形態では、Ｌ１  ＢＢ信号を含む信号が０ＭＨｚにダウンコンバートされ得、Ｌ２  ＢＢ信号を含む信号が−１３．６ＭＨｚにダウンコンバートされ得、Ｒ１  ＢＢ信号を含む信号が＋１２ＭＨｚにダウンコンバートされ得る。別の実施形態では、Ｌ１  ＢＢ信号を含む信号が１２ＭＨｚにダウンコンバートされ、Ｌ２  ＢＢ信号を含む信号が−１３．６ＭＨｚにダウンコンバートされ、Ｒ１  ＢＢ信号を含む信号が０ＭＨｚにダウンコンバートされる。別の実施形態では、Ｌ１  ＢＢ信号を含む信号が−１３．６ＭＨｚにダウンコンバートされ、Ｌ２  ＢＢ信号を含む信号が＋１３ＭＨｚにダウンコンバートされ、Ｒ１  ＢＢ信号を含む信号が０ＭＨｚにダウンコンバートされる。したがって、様々な順列（たとえば、ＺＩＦ、ＬＩＦ、およびＶＬＩＦのうちの１つ場合、Ｐ（４，３）＝合計２４個の配置）が可能である。さらに、１２．０ＭＨｚおよび−１３．６ＭＨｚ以外の位置が利用され得る。
【００５６】
[0065]他のＧＮＳＳ信号が追加され、または信号３０１、信号３０２、および信号３０３の代わりに使用され得る。他の実施形態では、ＧＮＳＳ信号のうちの１つまたは複数が使用されず、たとえば、Ｒ１  ＢＢ信号を含む信号が除去され得、Ｌ２  ＢＢ信号を含む信号と、Ｌ１を含む信号とがダウンコンバートされる。一例では、Ｌ２  ＢＢ信号を含む信号が０ＭＨｚにダウンコンバートされ得、Ｌ１  ＢＢ信号を含む信号が−１３．６ＭＨｚにダウンコンバートされ得る。別の例では、Ｌ１  ＢＢを含む信号が０ＭＨｚにダウンコンバートされ得、Ｌ２  ＢＢ信号を含む信号が−１３．６ＭＨｚにダウンコンバートされ得る。さらに別の実施形態では、Ｌ１  ＢＢ信号を含む信号が０ＭＨｚにダウンコンバートされ得、Ｌ２  ＢＢ信号を含む信号が１３ＭＨｚにダウンコンバートされ得る。さらに別の実施形態では、Ｌ２  ＢＢ信号を含む信号が０ＭＨｚにダウンコンバートされ得、Ｌ１  ＢＢ信号を含む信号が１３ＭＨｚにダウンコンバートされ得る。
【００５７】
[0066]図３ｂは、１つの実施形態でのアナログ出力経路１６０（図１ａ）の組合せ信号を示す。図３ｂに示されるように、１つの実施形態では、Ｌ２  ＢＢ信号を含むＺＩＦ信号７０１が、−１３．６ＭＨｚのＬ１  ＢＢ信号を含むＩＦ信号３０２と、＋１３ＭＨｚのＲ１  ＢＢ信号を含むＩＦ信号７０３との間となるようにダウンコンバートされる。信号７０１は、ＺＩＦ、ＶＬＩＦ、またはＬＩＦ配置に応じて異なる位置に散在し得る。
【００５８】
[0067]図３ｃは、ＧＬＯＮＡＳＳ  Ｒ１  ＢＢ信号を含むＩＦ信号８０３と、Ｌ１  ＢＢ信号を含むＩＦ信号８０１との位置を示す一実施形態を示す。この実施形態では、信号８０３は−１３．６ＭＨｚに位置し、信号８０１は＋１３ＭＨｚに位置し、Ｌ２  ＢＢ信号を含む信号８０２はＺＩＦ、ＶＬＩＦ、またはＬＩＦ信号である。
【００５９】
[0068]図３ｄは、ＧＬＯＮＡＳＳ  Ｒ１  ＢＢ信号を含むＩＦ信号８１３と、Ｌ１  ＢＢ信号８０１を含むＩＦ信号８１１との位置を示す一実施形態を示す。この実施形態では、信号８１３は＋２０ＭＨｚに位置し、信号８１１は＋７ＭＨｚに位置し、Ｌ２  ＢＢ信号を含む信号８１２はＺＩＦ、ＶＬＩＦ、またはＬＩＦ信号である。１つの実施形態では、図２ｂに示される受信機１３０が、図３ｄに示される信号を生成する。前述のように、１つの実施形態では、図２ｂの受信機１３０は、正の周波数帯を有する信号を生成する。
【００６０】
[0069]図３ａ〜図３ｄには３つの信号が示されているが、より多数の信号が使用され得る。受信される各信号が、周波数領域内で散在し得る。１つの実施形態では、ダウンコンバータおよび局部発振器が、すべての他の信号の周波数に関して、信号が組み合わされるときに信号が重複しないように構成される。
【００６１】
[0070]図４は、例示的な一実施形態による、ＧＮＳＳ位置信号などの信号を処理するための方法３９０のフローチャートである。１つの実施形態では、ＧＮＳＳ位置信号は１つまたは複数のＧＰＳ信号を含む。方法３９０は、アナログプロセッサ１５０で実装され得るステップ３９２を含む。１つの実施形態では、ステップ３９２は、ダウンコンバータ２０５（図２ａ）、ミキサ２４３および２４４（図２ｂ）、あるいはミキサ２８３および２８４（図２ｃ）によって実装され得る。ステップ３９２では、第１の周波数帯内の第１のＲＦ経路（たとえば、経路１４３）上の少なくとも第１のＲＦ信号が、第１のＩＦ信号を供給するためにダウンコンバートされる。ステップ３９４では、第２の周波数帯内の第２の経路（たとえば、経路１４５）上の第２のＲＦ信号が、第２のＩＦ信号を供給するためにダウンコンバートされる。ステップ３９４では、２つのＲＦ信号はアナログプロセッサ１５０でダウンコンバートされ得る。１つの実施形態では、ステップ３９４は、変換器２０５（図２ａ）、ミキサ２５８および２５９（図２ｂ）、あるいはミキサ２９７および２９９（図２ｃ）によって実装され得る。第１の周波数帯は第２の周波数帯とは異なるものであり得る。１つの実施形態では、ステップ３９２および３９４でのダウンコンバージョンは、第１のＩＦ信号と第２のＩＦ信号とを周波数領域内で散在させるように実施される。１つの実施形態では、ステップ３９２および３９４でのダウンコンバージョンが同時に実施される。１つの実施形態では、第１のＩＦ信号または第２のＩＦ信号の一方は、ＺＩＦ、ＶＬＩＦ、またはＬＩＦ信号であり得る。
【００６２】
[0071]ステップ３４６では、コンバイナ２１４、２５３、２９２、３３９（図２ａ〜図２ｃ）が、デジタル処理回路（たとえば、プロセッサ１７０、２７１、３００）による受信のために出力信号経路（たとえば経路１６０）上に組合せ信号を供給するために、第１のＩＦ信号と第２のＩＦ信号との少なくとも部分を組み合わせ得る。
【００６３】
[0072]図５は、例示的な一実施形態による、ＧＮＳＳ位置信号などの信号を処理するための方法４００のフローチャートである。１つの実施形態では、ＧＮＳＳ位置信号は１つまたは複数のＧＰＳ信号を含む。方法４００は、ダウンコンバータ２０５（図２ａ）と、ミキサ２４３および２４４（図２ｂ）と、ミキサ２８３および２８４（図２ｃ）とによって実装され得るステップ４１０を含む。ステップ４１０では、第１の周波数帯内の第１のＲＦ経路（たとえば、経路１４３）上の少なくとも第１のＲＦ信号が、第１のＩＦ信号を供給するためにダウンコンバートされる。ステップ４１２では、第２の周波数帯内の第２の経路（たとえば、経路１４５）上の第２のＲＦ信号が、第２のＩＦ信号を供給するためにダウンコンバートされる。第１の周波数帯は第２の周波数帯とは異なるものであり得る。ステップ４１２は、ダウンコンバータ２０５（図２ａ）、ミキサ２５８および２５９（図２ｂ）、あるいはミキサ２９７および２９９（図２ｃ）によって実装され得る。１つの実施形態では、ステップ４１０および４１２でのダウンコンバージョンは、第１のＩＦ信号と第２のＩＦ信号とを周波数領域内で散在させるように実施される。１つの実施形態では、ステップ４１０および４１２でのダウンコンバージョンが同時に実施される。１つの実施形態では、第１のＩＦ信号または第２のＩＦ信号の一方は、ＺＩＦ、ＶＬＩＦ、またはＬＩＦ信号であり得る。
【００６４】
[0073]ステップ４１４では、コンバイナ２１４、２５３、２９２、３３９（図２ａ〜図２ｃ）が、デジタル処理回路（たとえば、プロセッサ１７０、２７１、３００）による受信のために出力信号経路（たとえば経路１６０）上に組合せ信号を供給するために、第１のＩＦ信号と第２のＩＦ信号との少なくとも部分を組み合わせ得る。ステップ４１６では、組合せ信号が、単一経路ＡＤＣを使用してデジタル信号に変換される。ブロック４１８では、ベースバンドプロセッサが、ユーザデバイスのグローバル位置を決定するのに必要とされる適切な信号をデジタルダウンコンバートおよび整合フィルタ処理することによってデジタル信号を処理し得る。
【００６５】
[0074]開示されるプロセス中のステップの特定の順序または階層は例示的手法の一例であることを理解されたい。設計プリファレンスに基づいて、本開示の範囲内にとどまりながら、プロセス中のステップの特定の順序または階層が再構成され得ることを理解されたい。添付の方法クレームは、サンプル順序での様々なステップの要素を提示し、提示される特定の順序または階層に限定されることを意味するわけではない。
【００６６】
[0075]様々な異なる技術および技法のいずれかを使用して情報および信号が表現され得ることを当業者なら理解されよう。たとえば、上記の説明全体を通して参照され得るデータ、命令、コマンド、情報、信号、ビット、シンボル、およびチップが、電圧、電流、電磁波、磁場または磁性粒子、光場または光学粒子、あるいはそれらの任意の組合せによって表現され得る。
【００６７】
[0076]本明細書で開示される実施形態に関連して説明される様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的構成要素、ブロック、モジュール、回路、およびステップが、上記ではその機能に関して概括的に説明された。そのような機能がハードウェアとして実装されるか、それともソフトウェアとして実装されるかは、特定の応用分野およびシステム全体に対して課される設計制限に依存する。当業者は、各々の特定の応用分野について説明された機能を様々な方式で実装し得るが、そのような実装決定は、本開示の範囲からの逸脱を引き起こすと解釈されるべきではない。
【００６８】
[0077]本明細書に開示される実施形態に関連して説明される様々な例示的論理ブロック、モジュール、および回路は、本明細書で説明される機能を実施するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいはそれらの任意の組合せとともに実装または実施され得る。汎用プロセッサはマイクロプロセッサであり得るが、代替実施形態では、プロセッサは、任意の従来型プロセッサ、コントローラ、マイクロコントローラ、または状態機械であり得る。プロセッサはまた、コンピューティングデバイスの組合せ、たとえばＤＳＰとマイクロプロセッサの組合せ、複数のマイクロプロセッサ、１つまたは複数のマイクロプロセッサとＤＳＰコア、あるいは任意の他のそのような構成として実装され得る。
【００６９】
[0078]本明細書で開示される実施形態に関連して説明される方法またはアルゴリズムのステップは、ハードウェアで直接的に、プロセッサによって実行されるソフトウェアモジュールで、または２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取外し可能ディスク、ＣＤ−ＲＯＭ、または当技術分野で周知の任意の他の形態の記憶媒体内に常駐し得る。例示的記憶媒体は、プロセッサが記憶媒体から情報を読み取り、記憶媒体に情報を書き込むことができるようにプロセッサに結合される。代替実施形態では、記憶媒体はプロセッサと一体であり得る。プロセッサおよび記憶媒体はＡＳＩＣ内にあり得る。ＡＳＩＣはユーザ端末内にあり得る。代替実施形態では、プロセッサおよび記憶媒体は、ユーザ端末内に別個の構成要素としてあり得る。
【００７０】
[0079]１つまたは複数の例示的実施形態では、説明される機能は、ハードウェア、ソフトウェア、ファームウェア、またはそれらの任意の組合せで実装され得る。ソフトウェアで実装される場合、機能は、コンピュータ可読記憶媒体上に１つまたは複数の命令またはコードとして格納または送達され得る。コンピュータ可読媒体は、コンピュータ記憶媒体と、ある場所から別の場所へのコンピュータプログラムの転送を容易にする任意の媒体を含む通信媒体の両方を含む。非一時的記憶媒体は、コンピュータによってアクセスされ得る任意の入手可能な媒体であり得る。限定ではなく例として、そのような非一時的コンピュータ可読記憶媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態で所望のプログラムコードを搬送または格納するために使用され得、コンピュータによってアクセスされ得る任意の他の媒体を備え得る。さらに、任意の接続がコンピュータ可読媒体と適切に呼ばれる。たとえば、ソフトウェアが、同軸ケーブル、光ファイバケーブル、撚線対、デジタル加入者線（ＤＳＬ）、または赤外線、無線、マイクロ波などのワイヤレス技術を使用して、ウェブサイト、サーバ、または他のリモートソースから送信される場合、同軸ケーブル、光ファイバケーブル、撚線対、ＤＳＬ、または赤外線、無線、マイクロ波などのワイヤレス技術が、媒体の定義に含まれる。本明細書で使用されているディスク（disk）およびディスク（disc）は、コンパクトディスク（disc）（ＣＤ）、レーザーディスク（登録商標）（disc）、光ディスク（disc）、デジタルバーサタイルディスク（disc）（ＤＶＤ）、フロッピー（登録商標）ィディスク（disk）、およびブルーレイ（登録商標）ディスク（disc）を含み、ディスク（disk）は通常、データを磁気的に再現し、一方、ディスク（disc）は通常、データをレーザーで光学的に再現する。上記の組合せもコンピュータ可読媒体の範囲内に含まれるべきである。
【００７１】
[0080]開示される実施形態の先の説明は、当業者が本開示を作成または使用することを可能にするために提供される。これらの実施形態への様々な修正は当業者には容易に明らかであり、本明細書で定義される包括的な原理は、本開示の精神または範囲から逸脱することなく他の実施形態に適用され得る。したがって、本開示は、本明細書に示される実施形態に限定されることが意図されるものではなく、本明細書で開示される原理および新規な特徴と一致する最も広い範囲が与えられるべきである。
以下に、本願出願の当初の特許請求の範囲に記載された発明を付記する。
［Ｃ１］
第１のＩＦ信号を供給するために、第１の周波数帯内の第１の経路上の少なくとも第１のＲＦ信号をダウンコンバートすることと、
第２のＩＦ信号を供給するために、第２の周波数帯内の第２の経路上の少なくとも第２のＲＦ信号をダウンコンバートすることと、ここにおいて、前記第１のＩＦ信号および前記第２のＩＦ信号は、周波数領域内に散在し、前記第１の周波数帯は、前記第２の周波数帯と異なる、
デジタル処理回路による受信のために出力信号経路上で組合せ信号を供給するために、前記第１のＩＦ信号と前記第２のＩＦ信号との少なくとも部分を組み合わせることと
を備える、信号処理のための方法。
［Ｃ２］
前記第１の経路上の前記第１のＲＦ信号は、第１のＩＦ信号を備え、前記第２の経路上の前記第２のＲＦ信号は、第２のＩＦ信号を備え、前記第１のＩＦ信号は、ゼロＩＦ（ＺＩＦ）、超低ＩＦ（ＶＬＩＦ）、または低ＩＦ（ＬＩＦ）信号のうちの少なくとも１つを備える、
［Ｃ１］に記載の方法。
［Ｃ３］
前記第１のＩＦ信号は、第１のＩ成分と第１のＱ成分とを含み、前記第２のＩＦ信号は、第２のＩ成分と第２のＱ成分とを含む、
［Ｃ１］に記載の方法。
［Ｃ４］
前記第１の経路上の前記第１のＲＦ信号は、第１のＩ成分信号と第１のＱ成分信号とを供給するためにダウンコンバートされ、前記第２の経路上の前記第２のＲＦ信号は、第２のＩ成分信号と第２のＱ成分信号とを供給するためにダウンコンバートされ、前記第１のＩ成分信号と前記第１のＱ成分信号とは、前記第１のＩＦ信号を供給するために組み合わされ、前記第２のＩ成分信号と前記第２のＱ成分信号とは、前記第２のＩＦ信号を供給するために組み合わされる、
［Ｃ１］に記載の方法。
［Ｃ５］
前記第１のＲＦ信号は、第１のＩ成分信号と第１のＱ成分信号とを供給するためにダウンコンバートされ、前記第２のＲＦ信号は、第２のＩ成分信号と第２のＱ成分信号とを供給するためにダウンコンバートされ、前記第１のＩ成分信号と前記第２のＩ成分信号とは、前記組合せ信号を供給するために組み合わされる、
［Ｃ１］に記載の方法。
［Ｃ６］
前記第１のＱ成分信号と前記第２のＱ成分信号とは、前記デジタル信号プロセッサによる受信のために第２の組合せ信号を供給するために組み合わされる、
［Ｃ５］に記載の方法。
［Ｃ７］
前記組合せ信号は、単一の信号経路上で供給される、
［Ｃ１］に記載の方法。
［Ｃ８］
前記第１の経路上の前記第１のＲＦ信号と、前記第２の経路上の前記第２のＲＦ信号とは、ＧＮＳＳ信号である、
［Ｃ１］に記載の方法。
［Ｃ９］
前記ＧＮＳＳ信号は、ＧＰＳ、ＧＬＯＮＡＳＳ、ＢｅｉＤｏｕシステム、およびガリレオシステムのうちの１つまたは複数からの信号である、
［Ｃ８］に記載の方法。
［Ｃ１０］
第１のＩＦ信号を供給するために第１の周波数帯内の第１の経路上の第１のＲＦ信号をダウンコンバートすることと、第２のＩＦ信号を供給するために第２の周波数帯内の第２の経路上の第２のＲＦ信号をダウンコンバートすることとを行うように構成されたダウンコンバータと、ここにおいて、前記第１のＩＦ信号および前記第２のＩＦ信号は、周波数領域内に散在し、前記第１の周波数帯は、前記第２の周波数帯と異なる、
組合せ信号を供給するために前記第１のＩＦ信号と前記第２のＩＦ信号との少なくとも部分を組み合わせることを行うように構成されたコンバイナと、
アナログ信号経路上に前記組合せ信号を出力することを行うように構成されたドライバと
を備える、回路。
［Ｃ１１］
前記アナログ信号経路は、デジタル信号プロセッサに接続される、
［Ｃ１０］に記載の回路。
［Ｃ１２］
前記第１のＩＦ信号は、ゼロＩＦ（ＺＩＦ）、超低ＩＦ（ＶＬＩＦ）、または低ＩＦ（ＬＩＦ）信号である、
［Ｃ１０］に記載の回路。
［Ｃ１３］
前記第１の経路上の前記第１のＲＦ信号は、Ｌ１、Ｌ２、Ｒ１、Ｒ２、Ｌ２Ｃ、Ｅ１、Ｅ２、Ｅ５ａ、Ｅ５ｂ、およびＥ６信号のうちの少なくとも１つを備え、
前記第２の経路上の前記第２のＲＦ信号は、Ｌ１、Ｌ２、Ｒ１、Ｒ２、Ｌ２Ｃ、Ｅ１、Ｅ２、Ｅ５ａ、Ｅ５ｂ、およびＥ６信号のうちの少なくとも１つを備える、
［Ｃ１０］に記載の回路。
［Ｃ１４］
前記アナログ信号経路は単一の信号経路である、
［Ｃ１０］に記載の回路。
［Ｃ１５］
前記アナログ信号経路は、集積回路の端子を含む、
［Ｃ１０］に記載の回路。
［Ｃ１６］
前記第１のＲＦ信号は、第１のＩ成分信号と第１のＱ成分信号とを供給するためにダウンコンバートおよびフィルタ処理され、前記第２のＲＦ信号は、第２のＩ成分信号と第２のＱ成分信号とを供給するためにダウンコンバートおよびフィルタ処理される、
［Ｃ１０］に記載の回路。
［Ｃ１７］
前記第１のＩ成分信号と前記第１のＱ成分信号とは、前記第１のＩＦ信号を供給するために組み合わされ、
前記第２のＩ成分信号と前記第２のＱ成分信号とは、前記第２のＩＦ信号を供給するために組み合わされる、
［Ｃ１６］に記載の回路。
［Ｃ１８］
前記第１のＩ成分信号と前記第１のＱ成分信号とを組み合わせ、前記第１のＩＦ信号を供給するための第１の多相フィルタと、前記第２のＩ成分信号と前記第２のＱ成分信号とを組み合わせ、前記第２のＩＦ信号を供給するための第２の多相フィルタとをさらに備える、
［Ｃ１６］に記載の回路。
［Ｃ１９］
前記コンバイナは、電流モードコンバイナである、
［Ｃ１８］に記載の回路。
［Ｃ２０］
前記第１の経路上の前記第１のＲＦ信号は、第１のＩ成分信号と第１のＱ成分信号とを供給するためにダウンコンバートされ、前記第２の経路上の前記第２のＲＦ信号は、第２のＩ成分信号と第２のＱ成分信号とを供給するためにダウンコンバートされ、前記第１のＩ成分信号と前記第２のＩ成分信号とは、前記組合せ信号を供給するために組み合わされ、前記第１のＱ成分信号と前記第２のＱ成分信号とは、組合せＱ成分信号を供給するために組み合わされる、
［Ｃ１０］に記載の回路。
［Ｃ２１］
前記ダウンコンバータは、前記第１のＲＦ信号を前記第１のＩ成分信号と前記第１のＱ成分信号とに分離するように構成された１対の局部発振器を含み、
前記ダウンコンバータは、前記第２のＲＦ信号を前記第２のＩ成分信号と前記第２のＱ成分信号とに分離するように構成された局部発振器のペアを含み、
前記ダウンコンバータは、アナログ信号ダウンコンバータである、
［Ｃ２０］に記載の回路。
［Ｃ２２］
前記周波数領域内に散在する２つ以上のダウンコンバートされた信号を供給するために、２つ以上のＧＮＳＳ信号をダウンコンバートするための手段と、ここにおいて、前記２つ以上のＧＮＳＳ信号は、異なる周波数帯内にある、
デジタル信号プロセッサによる受信のために組合せ信号を生成するために前記２つ以上のダウンコンバートされたＩＦ信号を組み合わせるための手段と
を備える、装置。
［Ｃ２３］
前記２つ以上のＧＮＳＳ信号は、Ｌ１、Ｒ１、Ｌ２、およびＲ２信号を備える、
［Ｃ２２］に記載の装置。
［Ｃ２４］
前記組合せＩＦ信号をアナログ−デジタル変換器（ＡＤＣ）に出力するための手段をさらに備える、
［Ｃ２２］に記載の装置。
［Ｃ２５］
前記ダウンコンバートするための手段は、前記２つ以上のＩＦ信号のＩ成分とＱ成分とを組み合わせるための手段をさらに備える、
［Ｃ２２］に記載の装置。
［Ｃ２６］
前記出力するための手段は、単一の信号経路上に前記組合せ信号を供給し、前記単一の信号経路は、単一の信号線、単一の差分線対、または直交信号線の信号セットを備える、
［Ｃ２４］に記載の装置。
［Ｃ２７］
前記Ｉ成分とＱ成分とを組み合わせるための手段は、第１のＩＦ信号の第１のＩ成分信号と第１のＱ成分信号とを組み合わせ、
前記Ｉ成分とＱ成分とを組み合わせるための手段は、第２のＩＦ信号の第２のＩ成分信号と第２のＱ成分信号とを組み合わせる、
［Ｃ２５］に記載の装置。
［Ｃ２８］
前記２つ以上のダウンコンバートされたＩＦ信号を前記組み合わせるための手段は、前記第１のＩＦ信号と第２のＩＦ信号とを組み合わせる、
［Ｃ２７］に記載の装置。
［Ｃ２９］
前記２つ以上のダウンコンバートされたＩＦ信号を前記組み合わせるための手段は、前記２つ以上のＩＦ信号の第１の信号のＩ成分と、前記２つ以上のＩＦ信号の第２の信号のＩ成分とを組み合わせ、
前記２つ以上のダウンコンバートされたＩＦ信号を前記組み合わせるための手段は、前記２つ以上のＩＦ信号の第１の信号のＱ成分と、前記２つ以上のＩＦ信号の第２の信号のＱ成分とを組み合わせる、
［Ｃ２２］に記載の装置。
【図１ａ】
0006352460.tif 000003
【図１ｂ】
0006352460.tif 000004
【図２ａ】
0006352460.tif 000005
【図２ｂ】
0006352460.tif 000006
【図２ｃ】
0006352460.tif 000007
【図３ａ】
0006352460.tif 000008
【図３ｂ】
0006352460.tif 000009
【図３ｃ】
0006352460.tif 000010
【図３ｄ】
0006352460.tif 000011
【図４】
0006352460.tif 000012
【図５】
0006352460.tif 000013